(57)【要約】【課題】  放電ガス、面光源装置、及びこれを含むバックライトユニットが開示される。【解決手段】  放電ガス、面光源装置、及びこれを含むバックライトユニットにおいて、前記放電ガスは、アスペクト比が０．０７〜０．８５である放電空間を有する面光源装置に注入され、点灯温度に対するガス圧が１０〜１２０ｔｏｒｒで、ネオンとアルゴンの混合比が１００：０〜４０：６０である混合ガスを含む。前記した放電ガスは一定電流で発光効率が向上され、前記面光源装置の輝度を向上させることができる。【選択図】      図１
2006179486.tif 000002
【特許請求の範囲】
【請求項１】
アスペクト比が０．０７〜０．８５である放電空間を有する面光源装置に注入される放電ガスにおいて、
前記放電ガスに含まれた不活性ガスは、ガス圧が１０〜１２０ｔｏｒｒで、ネオンとアルゴンの混合比が１００：０〜４０：６０であることを特徴とする放電ガス。
【請求項２】
前記不活性ガスは点灯温度が２５℃である場合、ガス圧が２０〜８０ｔｏｒｒで、ネオンとアルゴンの混合比が９７：３〜４０：６０であることを特徴とする請求項１記載の放電ガス。
【請求項３】
前記不活性ガスは点灯温度が０℃である場合、ガス圧が１０〜４０ｔｏｒｒで、ネオンとアルゴンの混合比が９７：３〜６０：４０であることを特徴とする請求項１記載の放電ガス。
【請求項４】
下部ガラス基板と、
前記下部ガラス基板と接合され、前記下部ガラス基板と共に放電空間を形成する上部ガラス基板と、
前記放電空間内に注入される水銀と不活性ガスを含む放電ガスに電圧を印加する電極とを含み、
前記不活性ガスは、ガス圧が１０〜１２０ｔｏｒｒで、ネオンとアルゴンの混合比が１００：０〜４０：６０であることを特徴とする面光源装置。
【請求項５】
前記不活性ガスは点灯温度が２５℃である場合、ガス圧が２０〜８０ｔｏｒｒで、ネオンとアルゴンの混合比が９７：３〜４０：６０であることを特徴とする請求項４記載の面光源装置。
【請求項６】
前記不活性ガスは点灯温度が０℃である場合、ガス圧が１０〜４０ｔｏｒｒで、ネオンとアルゴンの混合比が９７：３〜６０：４０であることを特徴とする請求項４記載の面光源装置。
【請求項７】
前記放電空間は、アスペクト比が０．０７〜０．８５を有することを特徴とする請求項４記載の面光源装置。
【請求項８】
前記放電空間は幅が６〜１４ｍｍで、高さが１〜５ｍｍであることを特徴とする請求項４記載の面光源装置。
【請求項９】
下部ガラス基板、前記下部ガラス基板と接合され前記下部ガラス基板と共にアスペクト比が０．０７〜０．８５を有する放電空間を形成する上部ガラス基板、及び前記放電空間内に注入される水銀と不活性ガスを含む放電ガスに電圧を印加する電極を含み、点灯温度に対するガス圧が１０〜１２０ｔｏｒｒで、ネオンとアルゴンの混合比が１００：０〜４０：６０である不活性ガスを含む面光源装置と、
前記面光源装置を収納する上下部ケースと、
前記面光源装置と前記上部ケースとの間に介在された光学シートと、
前記面光源装置を駆動するための放電電圧を前記電極に印加するインバータと、を含むことを特徴とするバックライトユニット。
【発明の詳細な説明】
【技術分野】
【０００１】
本発明は、放電ガス、面光源装置、及びこれを有するバックライトユニットに関する。より詳細には、液晶表示装置（ＬＣＤ）で光源用部材として使用され、平行に配備された複数の長尺状放電空間を有した面光源に使用される放電ガス、このような放電空間を有した面光源装置、及びこの面光源装置を備えたバックライトユニットに関する。
【背景技術】
【０００２】
一般に、液晶（ＬＣ）は、電気的特性及び光学的特性を共に有する。液晶分子は、電界の方向に対応して配向が変更され、この配向に対応して液晶を透過する光の透過率を変更させる。
【０００３】
液晶表示装置は、液晶の電気的特性及び光学的特性を利用して画像を表示する。液晶表示装置は、ＣＲＴ等に比較して小型かつ軽量との長所を有し、この結果、携帯用コンピュータ、通信機器、液晶ＴＶ、及び宇宙空港産業等に広く使用されている。
【０００４】
液晶表示装置は、液晶の配向を変化させて光の透過を制御する液晶パネル、及び液晶に光を供給するバックライトを必要とする。
液晶パネルは、第１基板に配置された画素電極、第２基板に配置された共通電極、及び画素電極と共通電極との間に介在された液晶を含む。画素電極は、解像度に対応して多数個で構成され、共通電極は画素電極と対向して１個で構成される。各画素電極には、各々対応する画素電圧を印加するために、薄膜トランジスタが接続され、共通電極には同じレベルの基準電圧が印加される。画素電極及び共通電極は、導電性を有する透明な物質からなる。
【０００５】
バックライトは、液晶パネルに向けて光を供給する。光は、画素電極、液晶、及び共通電極を順次に通過する。この際、液晶を通過した画像の表示品質は、バックライトの輝度及び輝度均一性によって大きく左右される。一般に、輝度及び輝度均一性が高いほど、表示品質は良好になる。
【０００６】
従来の液晶表示装置のバックライトは、棒形状を有する冷陰極型蛍光ランプ（ＣＣＦＬ）又はドット形状を有する発光ダイオード（ＬＥＤ）が主に使用されている。冷陰極型蛍光ランプにはアルゴンガスが封入されており、水銀蒸気の点灯に対する起動を容易にし、陰極物質の蒸発を抑制している。冷陰極型蛍光ランプは輝度が高く、寿命が長く、白熱灯に比較して非常に小さい発熱量を有するという長所を有する。特許文献１では、水銀とアルゴン、反射膜を使用する水銀放電ランプが開示されているが、この際、放電ガスの最適ガス圧として２．９〜５ｔｏｒｒが記載されている。しかし、冷陰極線管蛍光ランプは、輝度均一性が弱いという短所を有する。
【０００７】
従って、冷陰極線管方式ランプを光源として有するバックライトは、輝度均一性を増加させるために、導光板（ＬＧＰ）、拡散部材、及びプリズムシート等のような光学部材を含む。これによって、冷陰極線管方式ランプを使用する液晶表示装置は、光学部材による嵩及び重量が大きく増加されるという問題点を有する。
【０００８】
このような問題点を解決するために、平板形態の面光源装置が提示された。従来の面光源装置は、所定間隔を置いて対向配置された第１及び第２基板を含む。多数個の隔壁が第１及び第２基板の間に配置される。隔壁は、等間隔で平行に配置され、第１及び第２基板の間に放電空間を形成する。対向する第１及び第２基板の端縁の間には密封部材が配置さ
れ、放電空間を外部と隔離させる。放電空間には放電ガスが注入され、放電ガスに電圧を印加するための電極が第１及び第２基板の端縁近傍において放電空間が延伸する方向と交差する方向に延伸して、同基板の外面又は内部に配置される。
【０００９】
最近、面光源は、効率を上げるために、放電空間の断面積を小さくしながら、放電の長さを増加させる方向に研究が進行されている。現在、最も高い効率（Ｌｍ／Ｗ）を示す面光源としては、水銀型面光源が挙げられる。
【００１０】
水銀型面光源には、水銀と、この水銀を励起させるための不活性ガスとを含有する放電ガスが使用される。水銀型面光源は、水銀原子をイオン化させるために、一種の原子（例えば、不活性ガス）が電子によって準安定状態にある時、他の種（水銀）の原子のイオン化を加速させる方法、即ち、ペニング効果を利用する。このようなペニング効果を適切に利用するためには、不活性ガスの混合比率、及び、放電ガスのガス圧が非常に重要な要素である。
【００１１】
これ以外にも影響を与える他の要素として、面光源内に注入される不活性ガスのガス圧が挙げられる。前記ガス圧が低くなるほど、電子とイオンの平均自由行路が増加され、エネルギーが高くなり、紫外線放出が円滑になると、面光源の輝度が上昇するためである。又、導入された不活性ガスのガス圧が非常に低いと、プラズマ内の電子とイオンが管壁に衝突して、プラズマの損失が増加して、電子温度は不必要に高くなるという問題点が発生する。従って、面光源の放電空間による発光効率が最適になるためには、放電空間、即ち、管径のサイズによる放電ガスのガス圧とガス混合比率が設定されなければならない。
【特許文献１】米国特許６, ６８３, ４０７
【発明の開示】
【発明が解決しようとする課題】
【００１２】
上記問題点を解決するための本発明の目的は、複数の放電空間を有する面光源の発光効率の減少及び寿命減少を抑制することができるガス圧と組成を有する放電ガスを提供することにある。
【００１３】
又、本発明の他の目的は、発光効率に優れた面光源装置を提供することにある。
又、本発明の更に他の目的は、バックライトユニットを提供することにある。
【課題を解決するための手段】
【００１４】
前記目的を達成するために、本発明の一実施例による放電ガスは、放電空間が長尺状に延伸する方向を法線とする断面における、幅：高さの比率をアスペクト比とすると、アスペクト比が０．０７〜０．８５である放電空間を有する面光源装置に注入され、ガス圧が１０〜１２０ｔｏｒｒで、ネオンとアルゴンの混合比が１００：０〜４０：６０である不活性ガスを含む。
【００１５】
本発明の他の実施例による面光源装置は、下部ガラス基板と、上部ガラス基板と、これら下部ガラス基板及び上部ガラス基板の間に区画される放電空間に注入される放電ガスに電圧を印加する電極とを備える。上部ガラス基板には側壁部が一体形成され、この側壁部は、下部ガラス基板上に接合されて、下部ガラス基板と共に放電空間を形成する。放電ガスは、水銀と不活性ガスを含む。前記不活性ガスは、ガス圧が１０〜１２０ｔｏｒｒで、ネオンとアルゴンが１００：０〜４０：６０の混合比で混合されている。
【００１６】
更に他の目的を達成するための本発明の一実施例によるバックライトユニットは、面光源装置と上下部ケース、光学シート、インバータを備える。下部ガラス基板、前記下部ガラス基板と接合され前記下部ガラス基板と共にアスペクト比が０．０７〜０．８５を有す
る放電空間を形成する上部ガラス基板、及び前記放電空間内に注入される水銀と不活性ガスを含む放電ガスに電圧を印加する電極を含み、点灯温度に対するガス圧が１０〜１２０ｔｏｒｒで、ネオンとアルゴンの混合比が１００：０〜４０：６０である不活性ガスを含む。上下部ケースは面光源装置を収納し、光学シートは前記面光源装置と前記上部ケースとの間に介在される。前記インバータは、前記面光源装置を駆動するための放電電圧を前記電極に印加する。
【００１７】
本発明によると、放電ガスは、点灯温度に対するガス圧が１０〜１２０ｔｏｒｒで、ネオンとアルゴンの混合比が１００：０〜４０：６０である混合ガスを含むので、面光源装置の発光効率を最適化させることができる。従って、プラズマの形成が最適化されることによって、面光源装置の光効率を向上させることができる。
【発明を実施するための最良の形態】
【００１８】
以下、本発明の一実施例による面光源装置の放電ガスについて説明する。
（放電ガス）
面光源内の複数の放電空間に注入される放電ガスは、水銀をイオン化させるための不活性ガスを含む。この際、前記放電空間内に注入された放電ガスの点灯温度に対するガス圧は１０〜１２０ｔｏｒｒで、前記不活性ガスは、例えば、ネオンガス、アルゴンガス等がある。これらは単独又は混合して使用することができる。
【００１９】
面光源を駆動させる点灯温度は、低温点灯温度と常温点灯温度に区分される。低温点灯温度は面光源が０℃で点灯される温度で、常温点灯温度は面光源が２５℃で点灯される温度である。
【００２０】
ここで、不活性ガスは、アスペクト比が０．０７〜０．８５である放電空間内に注入され、前記不活性ガスが注入された放電空間のガス圧は１０〜１２０ｔｏｒｒの圧力を有する。この際、ガス圧は、面光源の点灯温度及び放電空間の大きさによって変えることが可能である。
【００２１】
これを具体的に説明すると、アスペクト比が０．０７〜０．８５である放電空間、即ち、幅が６〜１４ｍｍで、高さが１〜５ｍｍである放電空間を有する面光源において、放電ガスの点灯温度が２５℃である場合、前記面光源に注入される放電ガスは、放電空間で約１０〜１２０ｔｏｒｒのガス圧を有し、ネオンとアルゴンガスの混合比が１００：０〜４０：６０である不活性ガスを含む。より好ましくは、放電空間で２０〜８０ｔｏｒｒのガス圧を有し、ネオンとアルゴンガスの混合比が９７：３〜４０：６０である不活性ガスを含む。
【００２２】
又、アスペクト比が０．０７〜０．８５である放電空間を有する面光源において、放電ガスの点灯温度が０℃である場合、前記面光源に注入される放電ガスは、放電空間で１０〜１２０ｔｏｒｒのガス圧を有し、ネオンとアルゴンガスの混合比が１００：０〜６０：４０である不活性ガスを含む。より好ましくは、放電空間で１０〜４０ｔｏｒｒのガス圧を有し、ネオンとアルゴンガスの混合比が９７：３〜６０：４０である不活性ガスを含む。
【００２３】
前記のような点灯温度、ガス圧、及びガス混合比を有する放電ガスは、面光源装置の発光効率を最適化させることができ、面光源の輝度を増加させる。
（実施例１）
図１は、本発明の実施例１による放電ガスを含む面光源装置を示す断面図である。
【００２４】
図１を参照すると、本実施例による面光源装置１００は、放電ガスが注入される内部空
間を有する光源本体１１０、及び放電ガスに電圧を印加するための電極１５０を含む。
本実施例による面光源装置１００は、隔壁分離型である。従って、光源本体１１０は、第１基板１１１、第１基板１１１上に配置された第２基板１１２、第１及び第２基板１１１、１１２の端縁の間に配置され、内部に空間を画成する密封部材１８０、及び内部空間を複数個の四角形形状を有する放電空間１４０に区画する隔壁１２０を備える。隔壁１２０は、第１方向に沿って内部空間に平行に配列され、内部空間を複数個の放電空間１４０に区画する。隔壁１２０の下面は第１基板１１１に接触し、上面は第２基板１１２に接触する。特に、隔壁１２０の両端は密封部材１８０に接触する。従って、各放電空間１４０は互いに隔離される。
【００２５】
本実施例において、前記放電空間１４０は６〜１４ｍｍの幅を有し、１〜５ｍｍの高さを有する。好ましくは、８〜１２ｍｍの幅を有し、２〜４ｍｍの高さを有する。本実施例１での放電空間は８ｍｍの幅と、４ｍｍの高さを有する。
【００２６】
前記放電空間に注入される放電ガスは、水銀、ネオンガスとアルゴンガスを含む。前記放電ガスにおいて、ネオンとアルゴンは１００：０〜４０：６０の混合比を有し、好ましくは、９７：３〜４０：６０の混合比を有する。
【００２７】
この際、前記放電ガスは、放電空間で１０〜１２０ｔｏｒｒのガス圧を有する。より具体的には、面光源の点灯温度が２５℃である場合、放電ガスは放電空間で２０〜８０ｔｏｒｒのガス圧を有することが好ましく、点灯温度が０℃である場合、放電ガスは放電空間で２０〜８０ｔｏｒｒのガス圧を有することが好ましい。即ち、面光源の放電空間に注入される放電ガスの最適のガス圧は、点灯温度によって変わることができる。本実施例１では、常温点灯に該当する放電ガスは、水銀６０ｍｇとガス圧３０ｔｏｒｒで、混合比が８０：２０であるネオン、アルゴン混合ガスを含む。
【００２８】
第１及び第２基板１１１、１１２は可視光は透過させ、紫外線は遮断するガラス材質で形成される。第２基板１１２が放電空間から発生された光が出射される出射面になる。
電極１５０は、第１方向と実質的に直交する第２方向に沿って、第１及び第２基板１１１、１１２の両側において、端縁近傍の外面に形成される。一方、電極１５０は、上部電極１５１と下部電極１５２を含み、導電性テープ又は導電性ペーストで形成される。
【００２９】
反射膜１７０は第１基板に形成され、放電空間１４０から発生された光のうち、第１基板１１１方向に向かう光を第２基板１１２方向に反射させる役割を果たす。第１蛍光層１６１は、反射膜１７０の表面に形成される。第２蛍光層１６２は、第２基板１１２の底面に形成される。
【００３０】
前記した放電空間及び放電ガス組成を有する面光源装置１００は、一定電流で最適のプラズマを形成することができ、優れた発光効率を有する。
（実施例２）
図２は、本発明の実施例２による放電ガスを含む面光源装置を示す断面図である。
【００３１】
図２を参照すると、本実施例による面光源装置２００は放電ガスが注入される内部空間を有する光源本体２１０、及び放電ガスに電圧を印加するための電極２５０を含む。
本実施例による面光源装置２００は、隔壁一体型である。従って、光源本体２１０は、第１基板２１１、及び第１基板２１１上に配置され隔壁部２２０を一体として有する第２基板２１２を含む。第１方向に沿って配列された隔壁部２２０が第１基板２１１に接触して、複数個のアーチ型放電空間２４０を形成する。最外郭隔壁部２２０がシーリング用フリット２８０を介して第１基板２１１に接合される。実施例１と同様に、隔壁部２２０は互いに隔離された放電空間２４０を形成する。一方、隔壁部２２０は０．５〜１．５ｍｍ
程度の幅を有することもできる。
【００３２】
前記アーチ型放電空間１４０は６〜１４ｍｍの幅を有し、１〜５ｍｍの高さを有する。好ましくは、８〜１２ｍｍの幅を有し、２〜４ｍｍの高さを有する。本実施例２での放電空間は１０ｍｍの幅と、２．９ｍｍの高さを有する。
【００３３】
前記アーチ型放電空間に注入される放電ガスは、水銀、ネオンガス、及びアルゴンガスを含む。前記放電ガスでネオンとアルゴンは１００：０〜４０：６０の混合比を有し、好ましくは、９７：３〜４０：６０の混合比を有する。この際、前記放電ガスは、放電空間で１０〜１２０ｔｏｒｒのガス圧を有する。
【００３４】
より詳細には、面光源の点灯温度が２５℃である場合、放電ガスは放電空間で２０〜８０ｔｏｒｒのガス圧を有することが好ましく、点灯温度が０℃である場合、放電ガスは放電空間で２０〜８０ｔｏｒｒのガス圧を有することが好ましい。即ち、面光源の放電空間に注入される放電ガスの最適のガス圧は、点灯温度によって変わることができる。本実施例２の低温点灯に適用される放電ガスは、水銀６０ｍｇと、ガス圧３０ｔｏｒｒで、混合比が８０：２０であるネオン、アルゴン混合ガスを含む。
【００３５】
電極２５０は、上部電極２５１と下部電極２５２を含み、第１方向と実質的に直交する第２方向に沿って第１及び第２基板２１１、２１２の両側において、端縁近傍の外面に形成される。
【００３６】
反射膜２７０は第１基板２１１の表面に形成され、放電空間２４０から発生された光のうち、第１基板２１１方向に向かう光を第２基板２１２方向に反射させる役割を果たす。前記第１蛍光層２６１が反射層２７０の表面に形成される。第２蛍光層２６２が第２基板２１２の底面に形成される。
【００３７】
前記した放電空間及び放電ガス組成を有する面光源装置２００は、一定電流で最適のプラズマを形成することができ、優れた発光効率を有する。
（実施例３）
図３は、本発明の実施例３による放電ガスを含む面光源装置を示す図である。
【００３８】
図３を参照すると、本実施例による面光源装置３００は、放電ガスが注入される内部空間を有する光源本体３１０、及び放電ガスに電圧を印加するための電極３５０を含む。
本実施例による面光源装置３００は隔壁一体型である。従って、光源本体３１０は、第１基板３１１、及び第１基板３１１上に配置され、隔壁３２０を一体で有する第２基板３１２を含む。第１方向に沿って配列された隔壁部３２０が第１基板３１１に接触され、互いに隔離された複数個の梯形放電空間３４０を形成する。最外郭隔壁部３２０がシーリング用フリット３８０を介して第１基板３１１に接合される。特に、隔壁部３２０を通じて隣接する放電空間３４０の間に電流が偏流する現象を抑制するために、隔壁部３２０は大略２〜５ｍｍ程度、好ましくは、４ｍｍの幅を有することができる。
【００３９】
前記梯形放電空間３４０は６〜１４ｍｍの幅を有し、１〜５ｍｍの高さを有する。好ましくは、８〜１２ｍｍの幅を有し、２〜４ｍｍの高さを有する。本実施例３での放電空間は９ｍｍの幅と、３．５ｍｍの高さを有する。
【００４０】
前記梯形放電空間に注入される放電ガスは、水銀、ネオンガスとアルゴンガスを含む。前記放電ガスにおけるネオンとアルゴンは１００：０〜４０：６０の混合比を有し、好ましくは、９７：３〜４０：６０の混合比を有する。この際、前記放電ガスは、放電空間で１０〜１２０ｔｏｒｒのガス圧を有する。
【００４１】
より具体的には、面光源の点灯温度が２５℃である場合、放電ガスは放電空間で２０〜８０ｔｏｒｒのガス圧を有することが好ましく、点灯温度が０℃である場合、放電ガスは放電空間で２０〜８０ｔｏｒｒのガス圧を有することが好ましい。即ち、面光源の放電空間に注入される放電ガスの最適のガス圧は、点灯温度によって変わることができる。本実施例３では、常温点灯に該当する放電ガスは、水銀６０ｍｇ、ガス圧４０ｔｏｒｒで、混合比が８０：２０であるネオン、アルゴン混合ガスを含む。
【００４２】
電極３５０は上部電極３５１と下部電極３５２を含み、第１方向と実質的に直交する第２方向に沿って第１及び第２基板３１１、３１２の両側エッジの外面に形成される。
反射膜３７０は第１基板３１１の表面に形成され、放電空間３４０から発生された光のうち、第１基板３１１方向に向かう光を第２基板３１２方向に反射させる役割を果たす。
【００４３】
前記した放電空間及び放電ガス組成を有する面光源装置３００は、一定電流で最適のプラズマを形成することができ、優れた発光効率を有する。
本発明は、前記面光源の形態のみならず、ガラス管を形成して隔壁を形成するか、ガラス板をエッチングして形成する等の放電空間を有する多様な形状の面光源に対して適用が可能である。
（実施例４）
図４は、本発明の実施例４によるバックライトユニットを示す分解斜視図である。
【００４４】
図４を参照すると、本実施例によるバックライトユニット１０００は、実施例３による面光源装置３００、上下部ケース１１００、１２００、光学シート９００、及びインバータ１３００を含む。
【００４５】
面光源装置３００は、図３に図示した面光源装置と実質的に同じ構成で構成されるので、面光源装置３００についての説明は省略する。一方、前述した他の実施例による面光源装置がバックライトユニット１０００に採用されることもできる。
【００４６】
下部ケース１２００は、面光源装置３００を収納するために、底部１２１０、及び底部１２１０のエッジから収納空間を形成するために延長された複数の側壁１２２０で構成される。面光源装置３００は、下部ケース１２００の収納空間に収納される。
【００４７】
インバータ１３００は下部ケース１２００の背面に配置され、面光源装置３００を駆動するための放電電圧を発生させる。インバータ１３００から発生された放電電圧は、第１及び第２電源線１３５２、１３５４を通じて面光源装置３００の電極にそれぞれ印加される。
【００４８】
光学シート９００は、面光源装置３００から出射される光を均一に拡散させるための拡散板（図示せず）と、拡散された光に直進性を付与するためのプリズムシート（図示せず）で構成されることができる。
【００４９】
上部ケース１１００は、下部ケース１２００に結合され面光源装置３００と光学シート９００を支持する。上部ケース１１００は、面光源装置３００が下部ケース１２００から離脱されることを防止する。
【００５０】
一方、画像を表示する液晶表示パネル（図示せず）が上部ケース１１００の上部に配置されることができる。
以下、本発明の下記実験例１、実験例２を通じて、本発明をより詳細に説明する。
（実験例１）
図１に図示されたアーチ型放電空間を有する面光源装置において、ネオンアルゴンガスの混合比を８０：２０で設定して、ガス圧を下記表１に図示されたように変化させながら、点灯温度によるＰＷＭ  ｄｉｍｍｉｎｇの測定及び点灯温度による面光源の点灯可否を実験した。その結果を下記表１に示す。
【００５１】
【表１】
2006179486.tif 000003
【００５２】
表１において、精密で自然な色及び明るさ変化が可能なＰＷＭ（パルス幅変調）ディミングは、面光源に適用される電流の使用量による面光源の点灯可否を示す数値である。即ち、１００％は、電流が１００％印加される時、面光源が点灯されることを示し、２０％は、入力電流の２０％が印加される場合、面光源が点灯されることを示す。従って、ネオンとアルゴンが８０：２０の混合比を有する場合には、前記全体ガスのガス圧が２０〜４０ｔｏｒｒである時、点灯効果及びＰＷＭ  ディミング効果が最も優れる。
（実験例２）
図１に図示されたアーチ型放電空間を有する面光源装置で、ガス圧を３０ｔｏｒｒで形成して、ネオンアルゴンガスの混合比を下記表２に図示されたように変化させながら、点灯温度によるＰＷＭ  ディミングの測定及び点灯温度による面光源の点灯可否を実験した。その結果を下記表２に示す。
【００５３】
【表２】
2006179486.tif 000004
【００５４】
表２に図示されたように、ガス圧が３０ｔｏｒｒである場合、ネオンとアルゴンの混合比が、１００：０、９７：３、８０：２０、６０：４０、又は４０：６０である時、面光源の面点灯効果が最も優れる。
【産業上の利用可能性】
【００５５】
前記のような本発明によると、アスペクト比が０．０７〜０．８５である放電空間を有する面光源装置に注入される放電ガスは、点灯温度に対するガス圧が１０〜１２０ｔｏｒｒで、ネオンとアルゴンの混合比が１００：０〜４０：６０である不活性ガスを含む。前記のような組成を有する不活性ガスを含む放電ガスは、面光源装置に注入され面光源の発光効率を最適化させることができる。
【００５６】
従って、面光源内のプラズマの形成が最適化されることによって、前記面光源装置の光効率が向上される。
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００５７】
【図１】本発明の実施例１による放電ガスを含む面光源装置を示す断面図。
【図２】本発明の実施例２による放電ガスを含む面光源装置を示す断面図。
【図３】本発明の実施例３による放電ガスを含む面光源装置を示す断面図。
【図４】本発明の実施例４によるバックライトユニットを示す分解斜視図。
【符号の説明】
【００５８】
１１１，２１１，３１１…下部ガラス基板、１７０，２７０，３７０…反射膜、１１２，２１２，３１２…上部ガラス基板、１２０，２２０，３２０…隔壁部、１５０，２５０，３５０…電極、１４０，２４０，３４０…放電空間。
【図１】
2006179486.tif 000005
【図２】
2006179486.tif 000006
【図３】
2006179486.tif 000007
【図４】
2006179486.tif 000008